(57)【要約】【課題】高精度かつ高性能なクリーニング機構を、低コスト・省スペースでかつ高寿命に実現すること。【解決手段】ソレノイド３０に対してオン、オフ指令を交互に与えることで、ラチェットギア４８を回転し、ラチェットギア４８と同一の回転軸４７に固定されているウオームギア４６を回転させる。ウオームギア４６にハス歯ギア５２を歯合させておき、ウオームギア４６の一方向のみの回転をハス歯ギア５２に伝える。ハス歯ギア５２の回転により巻取りローラ１６の回転軸５１をウエブ１４を巻き取る方向に回転させて、巻取りローラ１６にウエブ１４が巻き取られるようにしている。ウエブのバックテンションはウオームギア４６とハス歯ギア５２との組合せを逆転防止機構として機能させる。【選択図】      図３
2004198962.tif 000002
【特許請求の範囲】
【請求項１】
記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成されることを特徴とする定着装置。
【請求項２】
前記減速伝達部は、一端にラチェットギアを設けたウオームギアと、前記ラチェットギアの回転方向を規制する爪と、を有することを特徴とする請求項１に記載の定着装置。
【請求項３】
前記ラチェットギアを設けたウオームギアは、プラスチック成型により一体的に作成することを特徴とする請求項２に記載の定着装置。
【請求項４】
前記駆動源は、ソレノイドであることを特徴とする請求項１から請求項３のいずれかに記載の定着装置。
【請求項５】
記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御されることを特徴とする定着装置。
【請求項６】
前記巻取ローラの巻取り径は前記駆動源の切換回数に応じることを特徴とする請求項５に記載の定着装置。
【請求項７】
記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御されることを特徴とする定着装置。
【請求項８】
前記記録紙上のトナー量は記録紙に印字されるデータの黒データ量によることを特徴とする請求項７に記載の定着装置。
【請求項９】
定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成されることを特徴とする印字装置。
【請求項１０】
定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記減速伝達部は、一端にラチェットギアを設けたウオームギアと、前記ラチェットギアの回転方向を規制する爪と、を有することを特徴とする印字装置。
【請求項１１】
定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記減速伝達部は、一端にラチェットギアを設けたウオームギアと、前記ラチェットギアの回転方向を規制する爪と、を有し、前記ラチェットギアを設けたウオームギアは、プラスチック成型により一体的に作成することを特徴とする印字装置。
【請求項１２】
定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源はソレノイドであることを特徴とする印字装置。
【請求項１３】
定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御されることを特徴とする印字装置。
【請求項１４】
定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御され、前記巻取ローラの巻取り径は前記駆動源の切換回数に応じることを特徴とする印字装置。
【請求項１５】
定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御されることを特徴とする印字装置。
【請求項１６】
定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御され、前記記録紙上のトナー量は記録紙に印字されるデータの黒データ量によることを特徴とする印字装置。
【請求項１７】
定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成されることを特徴とする複写機。
【請求項１８】
定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記減速伝達部は、一端にラチェットギアを設けたウオームギアと、前記ラチェットギアの回転方向を規制する爪と、を有することを特徴とする複写機。
【請求項１９】
定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記減速伝達部は、一端にラチェットギアを設けたウオームギアと、前記ラチェットギアの回転方向を規制する爪と、を有し、前記ラチェットギアを設けたウオームギアは、プラスチック成型により一体的に作成することを特徴とする複写機。
【請求項２０】
定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源はソレノイドであることを特徴とする複写機。
【請求項２１】
定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御されることを特徴とする複写機。
【請求項２２】
定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御され、前記巻取ローラの巻取り径は前記駆動源の切換回数に応じることを特徴とする複写機。
【請求項２３】
定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御されることを特徴とする複写機。
【請求項２４】
定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御され、前記記録紙上のトナー量は記録紙に印字されるデータの黒データ量によることを特徴とする複写機。
【発明の詳細な説明】
【０００１】
【発明の属する技術分野】
本発明は、クリーニング機構を有する定着装置及びこれを備えた印字装置ならびに複写機に関するものである。
【０００２】
【従来の技術】
従来のプリンタ、ＦＡＸ、複写機等においては、記録紙の上に転写されたトナー像を記録紙に定着させるために定着装置が備えられている。この定着装置は、記録紙上のトナーを熱溶融させる加熱ローラと、加熱ローラに圧接して記録紙を押圧する加圧ローラとを有している。また、加圧ローラとの圧接が終わった加熱ローラの表面を清掃するためにクリーニング装置が設けられる場合がある。
【０００３】
クリーニング装置としては、オイルが含浸されたウエブが巻かれた元巻きローラと、ウエブを巻き取る巻き取りローラと、ウエブを加熱ローラに押し付け、ウエブに含浸されたオイルを加熱ローラへ塗布せしめるウエブ押圧ローラとからなるものがある。
【０００４】
クリーニング装置においては、ウエブを間欠的に駆動する手段を用いて、ローラの表面を清掃する機構を構成しており、ソレノイドと一組の駆動伝達ギアで構成するもの（例えば特許文献１参照）、モーターと一組の駆動伝達ギアで構成するもの（例えば特許文献２参照）、ソレノイドと複数の駆動伝達ギアで構成するもの（例えば特許文献３参照）が実施されている。
【０００５】
そして、前記クリーニング装置に対して、必要に応じてウエブ巻取軸に対する駆動機構が作動し、ウエブを一定の長さだけ巻き取るようにしている。
【０００６】
【特許文献１】
特開平２−１３５４８６号公報（第２図）
【特許文献２】
特開平５−２０４２７４号公報（第１図）
【特許文献３】
特開２００１−１６６６２５号公報（第３図）
【０００７】
【発明が解決しようとする課題】
しかし、かかる従来の技術では以下の問題が生じる。すなわち、
１）駆動機構をソレノイドと一組の駆動伝達ギアで構成する場合、
▲１▼ソレノイドをオン・オフするに際して、ソレノイドの移動長が大きいため、駆動されるギアの移動角度も大きくなり、必要以上に歯車が回転してウエブを必要以上に巻き取ってしまうので、ウエブを浪費してしまう。
【０００８】
▲２▼駆動伝達ギアの回転方向が規制されていないため、ソレノイドをオフするに際して、巻き取られたウエブのバックテンションにより、ウエブが巻き戻されてしまうので、拭き取った加熱ローラの汚れが戻されてしまう。
【０００９】
２）駆動機構をモーターと一組の駆動伝達ギアで構成する場合、
▲１▼ウエブの巻き取りを細かく制御するためのモーターとその制御回路が必要となり、コストの上昇を招く。
【００１０】
▲２▼駆動伝達ギアの回転方向が規制されていないため、モーターをオフするに際して、巻き取られたウエブのバックテンションにより、ウエブが巻き戻されてしまうので、拭き取った加熱ローラの汚れが戻されてしまう。
【００１１】
３）駆動機構をソレノイドと複数の駆動伝達ギアで構成する場合、
▲１▼ウエブの巻き取りを細かく制御するための複数の駆動伝達ギアが必要となり、コストの上昇を招く。
【００１２】
▲２▼元巻きローラを直接駆動する最終段の伝達ギアの回転方向が規制されていないため、ソレノイドをオフするに際して、巻き取られたウエブのバックテンションにより、ウエブが巻き戻されてしまうので、拭き取った加熱ローラの汚れが戻されてしまう。
【００１３】
そこで本発明は、上記課題を鑑みてなされたもので、高精度かつ高性能なクリーニング機構を、低コスト・省スペースでかつ高寿命に実現する定着装置及びこれを備えた印字装置ならびに複写機を提供することを目的とする。
【００１４】
【課題を解決するための手段】
上記課題を解決するために本発明の定着装置及びこれを備えた印字装置ならびに複写機は、加熱ローラの汚れをとるウエブの巻取ローラを駆動する駆動手段を、駆動源とこの駆動源に係合し前記巻取ローラを一方向にのみ減速回転する減速伝達部とで構成した。
【００１５】
【発明の実施の形態】
本発明の第１の態様は、記録紙上のトナーを熱溶融させる加熱ローラと、この加熱ローラに圧接して記録紙を押圧する加圧ローラと、ウエブが巻かれた元巻ローラと、この元巻ローラからの前記ウエブを巻き取る巻取ローラと、前記ウエブを加熱ローラに押し付ける押圧ローラと、前記巻取ローラに係合し当該巻取ローラを駆動する駆動手段とを具備し、この駆動手段は、駆動源とこの駆動源に係合し前記巻取ローラを一方向にのみ減速回転する減速伝達部とで構成されることを特徴とする定着装置である。
【００１６】
以上のように構成された定着装置によれば、駆動源の駆動は一方向にのみ減速回転されて巻取ローラに伝達されるので、簡単な構成でウエブの巻き取りを細かくかつ巻き戻りさせることなく実現することができる。そのため、高精度かつ高性能なクリーニング機構を、低コスト・省スペースでかつ高寿命に実現することができる。
【００１７】
本発明の第２の態様は、第１の態様の定着装置において、前記減速伝達部は、一端にラチェットギアを設けたウオームギアと、前記ラチェットギアの回転方向を規制する爪と、を有するものである。
【００１８】
これにより、減速伝達部はラチェットギアと一体のウオームギアとラチェットギアの回転方向を規制する爪とで実現できるので、高精度かつ高性能なクリーニング機構を、低コスト・省スペースでかつ高寿命に実現することができる。
【００１９】
本発明の第３の態様は、第２の態様の定着装置において、前記ラチェットギアを設けたウオームギアは、プラスチック成型により一体的に作成するものとした。
【００２０】
これにより、ラチェットギアを設けたウオームギアを安価なプラスチック成型により一体的に作成するので、低コストかつ高信頼性に製造できる。
【００２１】
本発明の第４の態様は、第１から第３のいずれかの態様の定着装置において、前記駆動源は、ソレノイドである。
【００２２】
これにより、駆動源を安価でかつ簡単な制御回路により実現するので、低コストで実現することができる。
【００２３】
本発明の第５の態様は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御されることを特徴とする定着装置である。
【００２４】
以上のように構成された定着装置によれば、駆動源の駆動は一方向にのみ減速回転されて巻取ローラに伝達されるので、簡単な構成でウエブの巻き取りを細かくかつ巻き戻りさせることなく実現することができる。また、駆動源は巻取ローラの巻取り径に応じてウエブの巻取り動作が制御されるので、ウエブの巻き取りが常に一定量になりウエブを必要以上に浪費することなく効率よく使用することができる。そのため、高精度かつ高性能なクリーニング機構を、低コスト・省スペースでかつ高寿命に実現することができる。
【００２５】
本発明の第６の態様は、第５の態様の定着装置において、前記巻取ローラの巻取り径は前記駆動源の切換回数に応じるものである。
【００２６】
これにより、巻取ローラの巻取り径を従来ある制御回路で駆動源の切換回数により判断するので、巻取ローラの巻取り径を簡単・容易にかつ的確に判断できる。
【００２７】
本発明の第７の態様は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御されることを特徴とする定着装置である。
【００２８】
以上のように構成された定着装置によれば、駆動源の駆動は一方向にのみ減速回転されて巻取ローラに伝達されるので、簡単な構成でウエブの巻き取りを細かくかつ巻き戻りさせることなく実現することができる。また、前記駆動源は記録紙上のトナー量に応じて制御されるので、ウエブの巻き取り量が加熱ローラのトナー汚れに応じて常に敵量になりトナー汚れを効率よくクリーニングすることができる。そのため、高精度かつ高性能なクリーニング機構を、低コスト・省スペースでかつ高寿命に実現することができる。
【００２９】
本発明の第８の態様は、第７の態様の定着装置において、前記記録紙上のトナー量は記録紙に印字されるデータの黒データ量によるものとした。
【００３０】
これにより、記録紙上のトナー量を従来ある制御回路で記録紙に印字されるデータの黒データ量により判断するので、記録紙上のトナー量を簡単・容易にかつ的確に判断できる。
【００３１】
本発明の第９の態様は、定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成されることを特徴とする印字装置である。
【００３２】
本発明の第１０の態様は、定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記減速伝達部は、一端にラチェットギアを設けたウオームギアと、前記ラチェットギアの回転方向を規制する爪と、を有することを特徴とする印字装置である。
【００３３】
本発明の第１１の態様は、定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記減速伝達部は、一端にラチェットギアを設けたウオームギアと、前記ラチェットギアの回転方向を規制する爪と、を有し、前記ラチェットギアを設けたウオームギアは、プラスチック成型により一体的に作成することを特徴とする印字装置である。
【００３４】
本発明の第１２の態様は、定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源はソレノイドであることを特徴とする印字装置である。
【００３５】
本発明の第１３の態様は、定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御されることを特徴とする印字装置である。
【００３６】
本発明の第１４の態様は、定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御され、前記巻取ローラの巻取り径は前記駆動源の切換回数に応じることを特徴とする印字装置である。
【００３７】
本発明の第１５の態様は、定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御されることを特徴とする印字装置である。
【００３８】
本発明の第１６の態様は、定着装置を備えた印字装置であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御され、前記記録紙上のトナー量は記録紙に印字されるデータの黒データ量によることを特徴とする印字装置である。
【００３９】
本発明の第１７の態様は、定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成されることを特徴とする複写機である。
【００４０】
本発明の第１８の態様は、定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記減速伝達部は、一端にラチェットギアを設けたウオームギアと、前記ラチェットギアの回転方向を規制する爪と、を有することを特徴とする複写機である。
【００４１】
本発明の第１９の態様は、定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記減速伝達部は、一端にラチェットギアを設けたウオームギアと、前記ラチェットギアの回転方向を規制する爪と、を有し、前記ラチェットギアを設けたウオームギアは、プラスチック成型により一体的に作成することを特徴とする複写機である。
【００４２】
本発明の第２０の態様は、定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源はソレノイドであることを特徴とする複写機である。
【００４３】
本発明の第２１の態様は、定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御されることを特徴とする複写機である。
【００４４】
本発明の第２２の態様は、定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し前記巻取ローラを一方向にのみ減速回転する減速伝達部とで構成され、前記駆動源は前記巻取ローラの巻取り径に応じて制御され、前記巻取ローラの巻取り径は前記駆動源の切換回数に応じることを特徴とする複写機である。
【００４５】
本発明の第２３の態様は、定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御されることを特徴とする複写機である。
【００４６】
本発明の第２４の態様は、定着装置を備えた複写機であって、前記定着装置は、記録紙上のトナーを熱溶融させる加熱ローラと、この加熱ローラに圧接して記録紙を押圧する加圧ローラと、ウエブが巻かれた元巻ローラと、この元巻ローラから前記ウエブを巻き取る巻取ローラと、前記ウエブを加熱ローラに押し付ける押圧ローラと、前記巻取ローラに係合し当該巻取ローラを駆動する駆動手段とを具備し、前記駆動手段は、駆動源とこの駆動源に係合し一方向にのみ減速回転する減速伝達部とで構成され、前記駆動源は記録紙上のトナー量に応じて制御され、前記記録紙上のトナー量は記録紙に印字されるデータの黒データ量によることを特徴とする複写機である。
【００４７】
以下、本発明の一実施の形態にかかる複写機について図面を参照して具体的に説明する。
【００４８】
図１は本実施の形態にかかる複写機の全体構成図である。同図に示す複写機は、原稿の画像がスキャナ１で読み取られてその画像データが制御回路２を経由してＬＳＵ（レーザスキャニングユニット）３へ供給される。ＬＳＵ３がプロセスユニット４の感光体５を露光し、その部分にトナーが付着してトナー画像が形成される。感光体５に形成されたトナー画像は、給紙カセット６から給紙される記録紙に転写されて、定着装置７で定着した後に排紙される。
【００４９】
図２に制御回路２のブロック図および定着装置７の構成図を示す。定着装置７の構成から説明する。定着装置７は、加熱ローラ１１と加圧ローラ１２とが対向配置され、加熱ローラ１１側にクリーニング装置１３が配置されている。
【００５０】
トナーの転写された記録紙が加熱ローラ１１と加圧ローラ１２との間を通過する際に、加熱ローラ１１が記録紙上のトナーを熱溶融させるとともに、当該記録紙を加圧ローラ１２で加熱ローラ１１に押圧して定着させる。
【００５１】
クリーニング装置１３は、オイルの含浸したウエブ１４が元巻きローラ１５に巻かれていて、巻取りローラ１６が元巻きローラ１５からウエブ１４を巻き取るとともに、ウエブ押圧ローラ１７がウエブ１４を加熱ローラ１１に押し付け、ウエブ１４に含浸されたオイルを加熱ローラ１１へ塗布せしめるものとなっている。制御回路２の制御下で駆動機構１８が巻取りローラ１６による巻き取り量を制御する。なお、駆動機構１８の詳細な構成および巻取りローラ１６による巻き取り制御の詳細は後述する。
【００５２】
制御回路２は、ＣＰＵ２１に対して内部バスを介して、プログラムなどのデータが格納されたＲＯＭ２２、作業エリアとなるＲＡＭ２３が接続されている。また、制御回路２は各種カウンタを備えている。カウンタ２４は後述する黒化率を数えるためのカウンタである。ソフトカウンタはＣＰＵ２１が内蔵する。
【００５３】
次に、巻取りローラ１６を駆動する駆動機構１８の詳細について説明する。図３は駆動機構１８の斜視図である。同図に示すように、ソレノイド３０は、断面Ｌ字型のフレーム３１にソレノイド本体３２がその一側壁を接して固定されている。ソレノイド本体３２の他方の側壁に対して板状のフラッパー３３が揺動可能に取り付けられている。図５（ａ）（ｂ）は図３に示すＡ矢視方向から見た側面図である。フレーム３１の底板３１ａは、底板３１ａ下面から下方に突出させたフック３４が設けられている。また、フラッパー３３の下方部を底板３１ａが揺動可能に保持している。そして、底板３１ａよりも下方に突き抜けたフラッパー３３の下端部３５とフレーム３１側のフック３４との間に復帰バネ３６が掛けられている。したがって、フラッパー３３は底板３１ａに保持された箇所を支点としてソレノイド本体３２から遠ざかる方向に傾くように付勢されている（図５（ｂ））。
【００５４】
一方、フラッパー３３の上端部には、ソレノイド本体３２の幅によりも僅かに長いレバー３８の一端部が連結されている。レバー３８の他端部３９にはアーム４１の一端部が回動自在に取り付けられている。したがって、アーム４１はレバー側に保持されたレバー３８の他端部３９の往復動に応じて回動する。アーム４１に逆転防止機構兼減速機構となるウオームギヤ機構が取り付けられている。
【００５５】
図４はアーム４１に取り付けられたウオームギヤ機構の斜視図である。アーム４１は全体がＬ字型をしていて、連結部４２とアーム本体４３からなる。アーム４１の連結部４２に対してその先端部に連結部材４４が固定されている。この連結部材４４に対してレバー３８の他端部３９が往復動自在に取り付けられる。アーム４１のアーム本体４３は、ソレノイド本体３２とは反対側に垂直に折り曲げて形成される側板４５を有する。アーム本体４３に沿うようにしてウオームギア４６が配置されていて、そのウオームギア４６の回転軸４７の両端が複写機本体側にあるクリーニング装置に固定されている。複写機本体側にあるクリーニング装置に固定されたウオームギア４６の回転軸４７の一端部が側板４５に回転自在に挿入されている。したがって、アーム４１はウオームギア４６の回転軸４７を回転軸にして回動するものとなる。
【００５６】
図６は図３に示すＢ矢視方向から見た側面図である。同図に示すように、ウオームギヤ４６の連結部４２側端部にラチェットギア４８が同心状に固定されている。図６中の符号４９はもどり止め用つめである。ラチェットギア４８を回転させる押圧つめは図４中の符号５０である。押圧つめ５０はその先端部がラチェットギア４８のギア歯に係合する角度でアーム本体４３に固定されている。ソレノイド３０のフラッパー３３が、図５（ｂ）に示す状態から図５（ａ）に示す状態に引き戻されたときに、ラチェットギア４８の１歯に相当する回転角だけラチェットギア４８を回転させるように、押圧つめ５０のラチェットギア４８に対する当接位置が調節されている。したがって、ラチェットギア４８の歯数に相当する回数フラッパー３３を引き戻すとラチェットギア４８が１回転し、同軸上に固定されているウオームギヤ４６も１回転する。
【００５７】
ウオームギヤ４６の回転軸４７に対して直交するように、クリーニング装置１３の巻取りローラ１６の回転軸５１が交差している。そして、巻取りローラ１６の回転軸５１に装着されたハス歯ギア５２がウオームギア４６に噛み合っている。ウオームギア４６のピッチとハス歯ギア５２の歯数との関係から減速比が決まる。したがって、ウオームギア４６の回転がハス歯ギア５２を介して巻取りローラ１６に減速して伝達されるように構成されている。
【００５８】
図７はウオームギア４６とハス歯ギア５２とを抜き出した斜視図である。図６および図７に示すように、ウオームギア４６の回転がハス歯ギア５２を介して巻取りローラ１６に伝達するように構成しているので、ウオームギア４６の回転軸４７とハス歯ギア４６の回転軸５１とは９０度異なる関係にある。したがって、巻取りローラ１６の回転軸５１からハス歯ギア４６の回転軸５１にバックテンションが加わったとしても、その力はハス歯ギア４６からウオームギア４６に対してウオームギア４６の軸方向の力として作用するので、軸方向の移動が規制されたウオームギア４６で力の伝達が遮断される。すなわち、ウオームギア４６が逆転防止機構として機能することになる。
【００５９】
なお、ウオームギヤ４６の連結部４２側端部にラチェットギア４８が同心状に固定されているが、ウオームギア４６とラチェットギア４８はプラスチック成型により一体的に作成するものとする。
【００６０】
以上のように構成されたクリーニング装置１３の機械的な動作について説明する。いま、制御回路２から駆動機構１８に対してソレノイド３０に対してオン指令が出されたものとする。
【００６１】
図５（ｂ）は、ソレノイド３０に対してオン指令が出されるまでのフラッパー３３の状態を示している。フラッパー３３の下端部３５が復帰バネ３６に引っ張られることで、フラッパー３３が底板３１ａによる保持点を支点にしてソレノイド本体３２側壁から離間する方向に傾いている。
【００６２】
ソレノイド３０は、オン指令を受けてソレノイド本体３２が磁力を発生し、フラッパー３３をソレノイド本体３２側壁に引き付けて密着させる。図５（ａ）はソレノイド３０に対してオン指令が出された後のフラッパー３３の状態を示している。
【００６３】
フラッパー３３が復帰バネ３６の引張力に抗して、底板３１ａによる保持点を支点にして、ソレノイド本体３２側壁側へ回動する。フラッパー３３の先端部に取り付けられたレバー３８は、フラッパー３３の回動に伴い、ハス歯ギア５２方向（図５中矢印ニ方向）へ移動する。レバー３８の移動に連動して、レバー先端３９でアーム４１の連結部４２がハス歯ギア５２方向へ押される。アーム４１はウオームギア４６の回転軸４７に対して回動可能に保持されているので、アーム４１全体がウオームギア４６の回転軸４７を中心にして図５に示す矢印イ方向に回動する。このとき、図４に示すアーム４１に設けた押圧つめ５０がラチェットギア４８の当接している歯を矢印イ方向に押圧する。この結果、ラチェットギア４８およびウオームギア４６が一体となってラチェットギア４８の１歯分だけ矢印イ方向に回転する。
【００６４】
一方、ソレノイド３０は、オフ指令を制御回路２から受けると、ソレノイド本体３２の磁力発生を停止する。フラッパー３３をソレノイド本体３２側壁に引き付けていた磁力が無くなるため、フラッパー３３の下端部３５が復帰バネ３６によってフック３４側に引っ張られる。その結果、フラッパー３３が、底板３１ａに保持された箇所を支点にして、ソレノイド本体３２の側壁から離間する方向に回動して、図５（ａ）に示す状態から図５（ｂ）に示す状態に復帰する。
【００６５】
フラッパー３３が離間方向に回動する過程では、フラッパー３３の連結部４２に連結されたレバー３８が図５に示す矢印ハ方向に移動する。アーム４１は、レバー３８のもう一方の端部に連結されているので、レバー３８の矢印ハ方向への移動に連動して、回転軸４７を中心にして図５に示す矢印ロ方向に回動する。アーム４１が矢印ロ方向に回転すると、アーム本体４３に設けられている押圧つめ５０がラチェットギア４８の外周上を移動し、次の歯に係合する位置まできたところでレバー３８およびアーム本体４３の移動が止まり、押圧つめ５０がラチェットギア４８の次の歯に係合する。
【００６６】
ソレノイド３０に対してオン、オフ指令を交互に与えることで、ラチェットギア４８が矢印イ方向に１歯ずつ回転し、ラチェットギア４８と同一の回転軸４７に固定されているウオームギア４６が矢印イ方向に回転する。ウオームギア４６にはハス歯ギア５２が歯合しているので、ウオームギア４６の矢印イ方向の回転はハス歯ギア５２に伝えられる。ハス歯ギア５２が回転すると巻取りローラ１６の回転軸５１がウエブ１４を巻き取る方向に回転することとなり、巻取りローラ１６にウエブ１４が巻き取られることになる。
【００６７】
以上の動作によって巻取りローラ１６にウエブ１４が巻き取られるが、ラチェットギア４８の１歯分の回転角度に相当した巻取り量が１制御単位となる。しかも、ラチェットギア４８の回転はウオームギア４６を介してハス歯ギア５２に伝達されるので、減速伝達される。したがって、ソレノイド３０の１動作当たりの移動量（１回オン、オフしたときのフラッパー３３先端部の移動量）は従来と同じであるとすれば、その移動量はラチェットギア４８の１歯分の回転角に変換され、さらにウオームギア４６とハス歯ギア５２の関係に依存した減速率で減速されるので、ウエブ１４の巻取り量は大幅に減少することになる。さらに、駆動機構にモーターを含むことなくソレノイドを使用しても高精度なウエブ送り制御を実現するので、モーターとその制御回路を装置から排除でき、コストダウンを図ることができる。
【００６８】
また、ソレノイド３０をオフした状態では従来のギア機構では、ウエブ１４のバックテンションがそのまま駆動源側へ伝えられていたが、本実施の形態では巻取りローラ１６の回転軸５１に取り付けられたハス歯ギア５２がウオームギア４６に歯合しているので、ウオームギア４６から先には伝わらない構成となっている。上述したように、バックテンションによる回転力がハス歯ギア５２に加わると、その回転力はウオームギア４６を軸方向に移動させる力として働くが、ウオームギア４６は軸方向の移動が側板４５に取り付けられたことで規制されている。したがって、ソレノイド３０をオフした状態では、ハス歯ギア５２とウオームギア４６の組合せがウエブ１４のバックテンションに対する逆転防止機構として機能することになる。ウエブ１４のバックテンションによる巻取りローラ１６の逆転が確実に防止されるので、拭き取りを終えて汚れたウエブ１４が巻き戻されて加熱ローラ１１を汚すのを防止できる。
【００６９】
以上は、駆動機構１８の機械的な構造によりウエブ１４の巻取りを細かく制御でき、かつ逆転防止できるようにした例である。本実施の形態では、制御回路２が駆動機構１８に与えるオン、オフ指令を後述するように制御することでウエブ１４を効率よく使用して浪費を抑制するようにしている。
【００７０】
図２のＣＰＵ２１は、ソレノイド３０に与えたオン、オフ回数をカウントするソフトカウンタからなるソレノイドカウンタを備える。また、装置設置時からのコピー枚数を累積カウントしているトータルカウンタを備える。
【００７１】
ソレノイド３０を１回オン、オフさせた場合の巻取りローラ１６の回転角が事前に判るので、オン、オフ回数から巻取りローラ１６が初期状態から何回転したかも計算で知ることができる。一方、巻取りローラ１６がＮ回転した時の巻取り径も事前に計測などで知ることができる。すなわち、ソレノイド３０のオン、オフ回数から巻取りローラ１６の巻取り径を計算で求めることができ、巻取り径に基づいてソレノイド３０を１回オン、オフさせた場合のウエブ１４の巻取り量を計算することができる。
【００７２】
本実施の形態は、巻取りローラ１６の巻取り径が変化してもウエブ１４の巻取り量が一定になるような、カウント値とオン、オフ回数とを対応させたテーブルデータを準備しておく。そして、ソレノイド３０のオン、オフ回数のカウント値に対応してテーブルデータから適切なオン、オフ回数を取得して指定を与えるように構成する。
【００７３】
図８に示すように、本装置の設置時に、トータルコピー枚数をカウントするトータルカウンタを０クリアし（ステップＳ１）、ソレノイド３０に与えたオン、オフ回数をカウントするソレノイドカウンタを０クリアする（ステップＳ２）。
【００７４】
次に、コピー時におけるソレノイド３０のオン、オフ駆動は図９に示すウエブ送り回数選択表に従って制御される。すなわち、ＣＰＵ２１は、ソレノイド３０に与えたオン、オフ回数を初期段階から継続してカウントして常に最新のソレノイドカウント値（累算値）を保持している。そして、ソレノイドカウント値とコピー枚数とから巻取りローラ１６の巻取り径に対応したタイミングでオン、オフ指令を与える。
【００７５】
これにより、ソレノイド３０は巻取りローラ１６の巻取り径に応じてオン、オフ回数が制御されるので、ウエブ１４の巻き取りが常に一定量になり、ウエブ１４を必要以上に浪費することなく効率よく使用することができる。
【００７６】
なお、ウエブ１４の巻き取りが常に一定量になるように制御できるのであれば、ソレノイド３０に与えたオン、オフ回数のカウント値に基づいた制御でなくてもよい。
【００７７】
本実施の形態は、図９に示すウエブ送り回数選択表を用いてソレノイド３０のソレノイドカウンタ値（累積値）に応じて何枚のコピーでウエブ１４を１回巻き取るのかを決定している。図９に示す▲１▼から▲３▼に示すウエブ送りモードをユーザーが原稿種類（例えば原稿濃度）に応じて選択する。各モードともにソレノイドカウンタ値に応じてウエブ１４の巻取り頻度を段階的に減少させている。図９のウエブ送り回数選択表ではソレノイドカウンタ値を４段階に分けて、何枚コピーされたらウエブ１４を１回巻き取るかを決めている。図９に示す例ではコピー枚数が（２枚、４枚）（４枚、６枚）（６枚、８枚）の３ケースであるが、さらに細かく設定することも可能である。
【００７８】
図１０は図９のウエブ送り回数選択表を用いたウエブ送り制御のフロー図である。ユーザーが指定した原稿の種類に応じたウエブ送りモードを選択する（ステップＳ１００）。例えば、▲１▼のウエブ送りモードが選択されていれば、定着ウエブ枚数カウント値（ソレノイドカウント値）が２万以下および２万から４万４０００未満の期間は、ソレノイドカウント値が偶数（２，４，６，８，・・・）または奇数（１，３，５，７，・・・）になるたびにソレノイド３０のオン、オフ指令を出す（ステップＳ１０１）。また、定着ウエブ枚数カウント値（ソレノイドカウント値）が４万４０００以上８万未満および８万以上の期間は、ソレノイドカウント値が４つ増加するたび（４４００２，４４００６，４４０１０，・・・）または（４４００１，４４００５，４４００９，・・・）にソレノイド３０のオン、オフ指令を出す（ステップＳ１０１）。
【００７９】
ソレノイド３０のオン、オフ指令が出されたときは（ステップＳ１０２）、ソレノイド３０が１回オン、オフされ（ステップＳ１０３）、ソレノイドカウンタがインクリメントされる（ステップＳ１０４）。一方、コピー動作があったがオン、オフ指令が出されなかった場合は（ステップＳ１０２）、ソレノイド３０は動作されずソレノイドカウンタのカウンタ値を増加させない。
【００８０】
また、本実施の形態の変形例では、図１１のウエブ送り回数選択表を用いて何枚コピーしたらウエブ１４を１回巻き取るかを決定している。図１１示すウエブ送り回数選択表では、画像濃度（１０％未満、１０％以上２０％未満、２０％以上）とコピー枚数並びにトータルコピー枚数とでウエブ１４の巻取り動作を実行するか否か判断する。なお、画像濃度は黒化率から判断する。黒化率を求める基になる画像の画素数は図２のカウンタ２４でカウントする。カウンタ２４でカウントされるカウント値から画像濃度が何％かを求め、所定コピー枚数に達していれば、ウエブ１４の巻取りを１回実行する。
【００８１】
図１２は図１１のウエブ送り回数選択表を用いたウエブ送り制御のフロー図である。原稿１頁の黒化率をカウンタ２４のカウント値から計算し（ステップＳ２００）、黒化率に応じたウエブ送りモードを図１１のウエブ送り回数選択表から選択する（ステップＳ２０１）。例えば、原稿の黒化率が２０％以上であったために▲１▼のウエブ送りモードが選択されていれば、トータルコピーカウント値が２万以下および２万から４万４０００未満の期間は、トータルコピーカウンタのカウント値が偶数（２，４，６，８，・・・）または奇数（１，３，５，７，・・・）になるたびにソレノイド３０のオン、オフ指令を出す（ステップＳ２０２）。また、トータルコピーカウント値が４万４０００以上８万未満および８万以上の期間は、トータルコピーカウント値が４つ増加するたび（４４００２，４４００６，４４０１０，・・・）または（４４００１，４４００５，４４００９，・・・）にソレノイド３０のオン、オフ指令を出す（ステップＳ２０２）。
【００８２】
ソレノイド３０のオン、オン指令が出されたときは（ステップＳ２０３）、ソレノイド３０が１回オン、オフされ（ステップＳ２０４）、ソレノイドカウンタがインクリメントされ（ステップＳ２０５）、トータルカウンタがインクリメントされる（ステップＳ２０６）。一方、コピー動作があったがオン、オフ指令が出されなかった場合は（ステップＳ２０３）、ソレノイド３０は動作されずソレノイドカウンタのカウンタ値を増加させない。
【００８３】
このように、ソレノイド３０は記録紙上のトナー量に応じて制御されるので、ウエブ１４の巻き取り量が加熱ローラ１１のトナー汚れに応じて常に適量になりトナー汚れを効率よくクリーニングすることができる。また、記録紙上のトナー量を従来ある制御回路で記録紙に印字されるデータの黒データ量により判断するので、記録紙上のトナー量を簡単・容易にかつ的確に判断できる。
【００８４】
以上の説明では、複写機を例にしているが、定着装置７を備えた印字装置であっても同様に適用可能である。
【００８５】
【発明の効果】
以上詳記したように本発明によれば、高精度かつ高性能なクリーニング機構を、低コスト・省スペースでかつ高寿命に実現する定着装置及びこれを備えた印字装置ならびに複写機を提供できる。
【図面の簡単な説明】
【図１】本発明の一実施の形態に係る複写機の全体構成図
【図２】図１に示す複写機に備えた定着装置の構成図
【図３】図２に示す定着装置に備えた駆動機構の斜視図
【図４】図３に示す駆動機構におけるアーム部分の斜視図
【図５】（ａ）図３の矢印Ａ方向から見た駆動機構のオン状態の側面図
（ｂ）図３の矢印Ａ方向から見た駆動機構のオフ状態の側面図
【図６】図３の矢印Ｂ方向から見た駆動機構の側面図
【図７】ウオームギアとラチェットギアおよびハス歯ギアを抜き出した斜視図
【図８】複写機設置時のカウンタ０クリア動作のフロー図
【図９】ソレノイドカウント値に基づいてウエブの巻取り動作を制御するためのウエブ送り回数選択表を示す図
【図１０】図９のウエブ送り回数選択表を用いたウエブ送り制御のフロー図
【図１１】トータルコピーカウント値に基づいてウエブの巻取り動作を制御するためのウエブ送り回数選択表を示す図
【図１２】図１１のウエブ送り回数選択表を用いたウエブ送り制御のフロー図
【符号の説明】
１  スキャナ
２  制御回路
３  ＬＳＵ
４  プロセスユニット
５  感光体
６  給紙カセット
７  定着装置
１１  加熱ローラ
１２  加圧ローラ
１３  クリーニング装置
１４  ウエブ
１５  元巻きローラ
１６  巻取りローラ
１７  ウエブ押圧ローラ
１８  駆動機構
２１  ＣＰＵ
２２  ＲＯＭ
２３  ＲＡＭ
２４  カウンタ
３０  ソレノイド
３１  フレーム
３１ａ  底板
３２  ソレノイド本体
３３  フラッパー
３４  フック
３６  復帰バネ
３８  レバー
４１  アーム
４２  連結部
４３  アーム本体
４４  連結部材
４５  側板
４６  ウオームギア
４７  回転軸
４８  ラチェットギア
４９  もどり止め用つめ
５０  押圧つめ
５１  回転軸
５２  ハス歯ギア
【図１】
2004198962.tif 000003
【図２】
2004198962.tif 000004
【図３】
2004198962.tif 000005
【図４】
2004198962.tif 000006
【図５】
2004198962.tif 000007
【図６】
2004198962.tif 000008
【図７】
2004198962.tif 000009
【図８】
2004198962.tif 000010
【図９】
2004198962.tif 000011
【図１０】
2004198962.tif 000012
【図１１】
2004198962.tif 000013
【図１２】
2004198962.tif 000014